(57)【要約】  治療装置は、マットレス部（１１）を有するベッド（１）のマットレス部（１１）上に横たわっている被治療者（４）の周囲に交流電場を形成して被治療者（４）を治療する治療装置である。当該治療装置は、マットレス部（１１）の上面（１１ａ）から離隔したマットレス部（１１）の内部、又は、マットレス部（１１）よりも下方、に設けられる電極部（２）と、電極部（２）に第１交流電圧を印加する電圧印加装置（３）と、を備えている。
2019097590.tif 000002
【特許請求の範囲】
【請求項１】
マットレス部を有するベッドの前記マットレス部上に横たわっている被治療者の周囲に交流電場を形成して前記被治療者を治療する治療装置において、
前記マットレス部の上面から離隔した前記マットレス部の内部、又は、前記マットレス部よりも下方、に設けられる電極部と、
前記電極部に第１交流電圧を印加する電圧印加装置と、
を備えた、治療装置。
【請求項２】
請求項１に記載の治療装置において、
前記電圧印加装置は、
互いに磁気的に結合された一次コイルと二次コイルとを含むトランスと、
前記二次コイルにおける電圧を調整するために前記二次コイルの一方の端子を前記一次コイルの一方の端子に戻すフィードバック制御回路と、
前記二次コイルの出力に低周波振動を加えるために前記二次コイルの他方の端子に接続された出力制御部と、
を有し、
前記電極部は、前記出力制御部を介して前記二次コイルの他方の端子に接続される、治療装置。
【請求項３】
請求項２に記載の治療装置において、
前記一次コイルには、交流電源により第２交流電圧が印加され、
前記電圧印加装置は、更に、前記交流電源から入力される第３交流電圧の電圧値を、互いに異なる複数の種類の電圧値に切り替え、電圧値が切り替えられた前記第３交流電圧を前記第２交流電圧として前記一次コイルに印加することにより、前記第１交流電圧の電圧値を調整する電圧調整部を有する、治療装置。
【請求項４】
請求項３に記載の治療装置において、
前記電圧調整部は、
前記一次コイルの一方の端子又は前記一次コイルの他方の端子である第１端子と、前記交流電源と、の間に設けられた抵抗素子と、
前記第１端子を前記抵抗素子を介して前記交流電源に接続するか、又は、前記第１端子を前記抵抗素子を介さずに前記交流電源に接続するかを切り替えるスイッチ素子と、
を含む、治療装置。
【請求項５】
請求項１乃至４のいずれか一項に記載の治療装置において、
前記電極部から前記被治療者の周囲に静電気を放出することにより、前記被治療者の周囲に前記交流電場を形成し、形成された前記交流電場を前記被治療者に印加しながら前記被治療者を治療する、治療装置。
【請求項６】
請求項１乃至５のいずれか一項に記載の治療装置において、
前記電圧印加装置は、前記電極部に２０〜１００Ｈｚの周波数の前記第１交流電圧を印加する、治療装置。
【請求項７】
請求項１乃至６のいずれか一項に記載の治療装置において、
接地電極を備えていない、治療装置。
【請求項８】
請求項２乃至４のいずれか一項に記載の治療装置において、
前記二次コイルに流れる電流は、０．００２〜０．２Ａである、治療装置。
【請求項９】
請求項１乃至８のいずれか一項に記載の治療装置において、
前記電極部は、第１電極であり、
前記電圧印加装置は、前記第１電極以外のいずれの電極とも電気的に接続されない、治療装置。
【請求項１０】
請求項１乃至９のいずれか一項に記載の治療装置において、
前記電極部は、主面を含む板状部を有し、
前記板状部は、前記主面に形成された複数の開口部を含む、治療装置。
【請求項１１】
請求項１乃至１０のいずれか一項に記載の治療装置において、
前記ベッドを備えた、治療装置。
【請求項１２】
被治療者の周囲に交流電場を形成して前記被治療者を治療する治療装置において、
前記被治療者から離隔して設けられる電極部と、
前記電極部に第１交流電圧を印加する電圧印加装置と、
を備え、
前記電圧印加装置は、
互いに磁気的に結合された一次コイルと二次コイルとを含むトランスと、
前記二次コイルにおける電圧を調整するために前記二次コイルの一方の端子を前記一次コイルの一方の端子に戻すフィードバック制御回路と、
前記二次コイルの出力に低周波振動を加えるために前記二次コイルの他方の端子に接続された出力制御部と、
を有し、
前記電極部は、前記出力制御部を介して前記二次コイルの他方の端子に接続される、治療装置。
【請求項１３】
請求項１２に記載の治療装置において、
前記一次コイルには、交流電源により第２交流電圧が印加され、
前記電圧印加装置は、更に、前記交流電源から入力される第３交流電圧の電圧値を、互いに異なる複数の種類の電圧値に切り替え、電圧値が切り替えられた前記第３交流電圧を前記第２交流電圧として前記一次コイルに印加することにより、前記第１交流電圧の電圧値を調整する電圧調整部を有する、治療装置。
【請求項１４】
請求項１３に記載の治療装置において、
前記電圧調整部は、
前記一次コイルの一方の端子又は前記一次コイルの他方の端子である第１端子と、前記交流電源と、の間に設けられた抵抗素子と、
前記第１端子を前記抵抗素子を介して前記交流電源に接続するか、又は、前記第１端子を前記抵抗素子を介さずに前記交流電源に接続するかを切り替えるスイッチ素子と、
を含む、治療装置。
【請求項１５】
請求項１２乃至１４のいずれか一項に記載の治療装置において、
前記電極部から前記被治療者の周囲に静電気を放出することにより、前記被治療者の周囲に前記交流電場を形成し、形成された前記交流電場を前記被治療者に印加しながら前記被治療者を治療する、治療装置。
【請求項１６】
請求項１２乃至１５のいずれか一項に記載の治療装置において、
前記電圧印加装置は、前記電極部に２０〜１００Ｈｚの周波数の前記第１交流電圧を印加する、治療装置。
【請求項１７】
請求項１２乃至１６のいずれか一項に記載の治療装置において、
接地電極を備えていない、治療装置。
【請求項１８】
請求項１２乃至１７のいずれか一項に記載の治療装置において、
前記二次コイルに流れる電流は、０．００２〜０．２Ａである、治療装置。
【請求項１９】
請求項１２乃至１８のいずれか一項に記載の治療装置において、
前記電極部は、第１電極であり、
前記電圧印加装置は、前記第１電極以外のいずれの電極とも電気的に接続されない、治療装置。
【請求項２０】
座部と背もたれ部とを有する椅子に座っている被治療者の周囲に交流電場を形成して前記被治療者を治療する治療装置において、
前記座部の上面から離隔した前記座部の内部、前記座部よりも下方、前記背もたれ部の背もたれ面から離隔した前記背もたれ部の内部、又は、前記背もたれ部の前記背もたれ面と反対面よりも前記背もたれ面側と反対側、に設けられる電極部と、
前記電極部に第１交流電圧を印加する電圧印加装置と、
を備えた、治療装置。
【請求項２１】
請求項２０に記載の治療装置において、
前記電圧印加装置は、
互いに磁気的に結合された一次コイルと二次コイルとを含むトランスと、
前記二次コイルにおける電圧を調整するために前記二次コイルの一方の端子を前記一次コイルの一方の端子に戻すフィードバック制御回路と、
前記二次コイルの出力に低周波振動を加えるために前記二次コイルの他方の端子に接続された出力制御部と、
を有し、
前記電極部は、前記出力制御部を介して前記二次コイルの他方の端子に接続される、治療装置。
【請求項２２】
請求項２１に記載の治療装置において、
前記一次コイルには、交流電源により第２交流電圧が印加され、
前記電圧印加装置は、更に、前記交流電源から入力される第３交流電圧の電圧値を、互いに異なる複数の種類の電圧値に切り替え、電圧値が切り替えられた前記第３交流電圧を前記第２交流電圧として前記一次コイルに印加することにより、前記第１交流電圧の電圧値を調整する電圧調整部を有する、治療装置。
【請求項２３】
請求項２２に記載の治療装置において、
前記電圧調整部は、
前記一次コイルの一方の端子又は前記一次コイルの他方の端子である第１端子と、前記交流電源と、の間に設けられた抵抗素子と、
前記第１端子を前記抵抗素子を介して前記交流電源に接続するか、又は、前記第１端子を前記抵抗素子を介さずに前記交流電源に接続するかを切り替えるスイッチ素子と、
を含む、治療装置。
【請求項２４】
請求項２０乃至２３のいずれか一項に記載の治療装置において、
前記電極部から前記被治療者の周囲に静電気を放出することにより、前記被治療者の周囲に前記交流電場を形成し、形成された前記交流電場を前記被治療者に印加しながら前記被治療者を治療する、治療装置。
【請求項２５】
請求項２０乃至２４のいずれか一項に記載の治療装置において、
前記電圧印加装置は、前記電極部に２０〜１００Ｈｚの周波数の前記第１交流電圧を印加する、治療装置。
【請求項２６】
請求項２０乃至２５のいずれか一項に記載の治療装置において、
接地電極を備えていない、治療装置。
【請求項２７】
請求項２１乃至２３のいずれか一項に記載の治療装置において、
前記二次コイルに流れる電流は、０．００２〜０．２Ａである、治療装置。
【請求項２８】
請求項２０乃至２７のいずれか一項に記載の治療装置において、
前記電極部は、第１電極であり、
前記電圧印加装置は、前記第１電極以外のいずれの電極とも電気的に接続されない、治療装置。
【請求項２９】
請求項２０乃至２８のいずれか一項に記載の治療装置において、
前記電極部は、主面を含む板状部を有し、
前記板状部は、前記主面に形成された複数の開口部を含む、治療装置。
【請求項３０】
請求項２０乃至２９のいずれか一項に記載の治療装置において、
前記椅子を備えた、治療装置。
【発明の詳細な説明】
【技術分野】
【０００１】
本発明は、被治療者を治療する治療装置に関するものである。
【背景技術】
【０００２】
被治療者の周囲に電場を形成することにより被治療者を治療する治療装置がある。【０００３】
このような治療装置として、被治療者が寝るマットに第１の電極が設けられ、頭部スタンドに第２の電極が設けられた臥床式電位治療装置がある。当該臥床式電位治療装置を用いる場合には、第１の電極に電圧を印加し、第２の電極を接地することで、被治療者の周囲に電場を形成し、形成された電場により被治療者の人体を刺激する刺激作用を利用することで、被治療者を治療する。【０００４】
特開２００９−１８３６３８号公報（特許文献１）には、臥床式電位治療装置において、第１の電極が配設されたマットと、第２の電極が配設された頭部スタンドと、第１の電極および第２の電極の少なくとも一方に電圧を印加する電圧発生装置と、を備え、頭部スタンドがマットに一体的に配設される技術が開示されている。【０００５】
また、治療装置として、絶縁被覆の導電マットを経て生体幹部に交流高電圧を印加して治療を実行する臥床式電位治療装置としての交流電位治療器がある。【０００６】
特開２０１６−１２０号公報（特許文献２）には、交流電位治療器において、交流昇圧トランスにおける２次コイルの高圧端に保護兼用分圧回路の１端を接続すると共に、保護兼用分圧回路の他端と２次コイル接地端との間に正電圧分圧回路を接続し、保護兼用分圧回路と正電圧分圧回路との間の出力端から得た高圧交流を導電マットに給電する技術が開示されている。【０００７】
また、被治療者が座る椅子と、被治療者の足が載置される通電台と、を備えた椅子式の電位治療装置がある。【０００８】
特開２０１１−２４７８１号公報（特許文献３）には、電位治療装置において、治療のために高電圧が印加される主電極と、主電極に高電圧を印加するための高電圧発生装置と、被治療者の着座を検出するための検出用電極とを備え、高電圧発生装置は、検出用電極に流れる誘導電流を検出して、被治療者の着座状態を検知する技術が開示されている。
【先行技術文献】
【特許文献】
【０００９】
【特許文献１】特開２００９−１８３６３８号公報
【特許文献２】特開２０１６−１２０号公報
【特許文献３】特開２０１１−２４７８１号公報
【発明の概要】
【発明が解決しようとする課題】
【００１０】
しかしながら、上記特許文献１乃至特許文献３に記載された技術では、被治療者を治療する際の治療効果を十分に得ることが困難であり、当該治療効果をある程度得るためであっても、少なくとも１個の電極については、被治療者に接触させて配置するか、又は、被治療者に殆ど接触しそうな距離まで近づけて配置する必要がある。【００１１】
本発明は、上述のような従来技術の問題点を解決すべくなされたものであって、被治療者の周囲に交流電場を形成して被治療者を治療する治療装置において、被治療者を治療する際の治療効果を向上させることができる治療装置を提供することを目的とする。
【課題を解決するための手段】
【００１２】
本願において開示される発明のうち、代表的なものの概要を簡単に説明すれば、次のとおりである。【００１３】
本発明の一態様としての治療装置は、マットレス部を有するベッドのマットレス部上に横たわっている被治療者の周囲に交流電場を形成して被治療者を治療する治療装置である。当該治療装置は、マットレス部の上面から離隔したマットレス部の内部、又は、マットレス部よりも下方、に設けられる電極部と、電極部に第１交流電圧を印加する電圧印加装置と、を備えている。【００１４】
また、他の一態様として、電圧印加装置は、互いに磁気的に結合された一次コイルと二次コイルとを含むトランスと、二次コイルにおける電圧を調整するために二次コイルの一方の端子を一次コイルの一方の端子に戻すフィードバック制御回路と、二次コイルの出力に低周波振動を加えるために二次コイルの他方の端子に接続された出力制御部と、を有してもよい。そして、電極部は、出力制御部を介して二次コイルの他方の端子に接続されてもよい。【００１５】
また、他の一態様として、一次コイルには、交流電源により第２交流電圧が印加されてもよい。そして、電圧印加装置は、更に、交流電源から入力される第３交流電圧の電圧値を、互いに異なる複数の種類の電圧値に切り替え、電圧値が切り替えられた第３交流電圧を第２交流電圧として一次コイルに印加することにより、第１交流電圧の電圧値を調整する電圧調整部を有してもよい。【００１６】
また、他の一態様として、電圧調整部は、一次コイルの一方の端子又は一次コイルの他方の端子である第１端子と、交流電源と、の間に設けられた抵抗素子と、第１端子を抵抗素子を介して交流電源に接続するか、又は、第１端子を抵抗素子を介さずに交流電源に接続するかを切り替えるスイッチ素子と、を含んでもよい。【００１７】
また、他の一態様として、当該治療装置は、電極部から被治療者の周囲に静電気を放出することにより、被治療者の周囲に交流電場を形成し、形成された交流電場を被治療者に印加しながら被治療者を治療してもよい。【００１８】
また、他の一態様として、電圧印加装置は、電極部に２０〜１００Ｈｚの周波数の第１交流電圧を印加してもよい。【００１９】
また、他の一態様として、当該治療装置は、接地電極を備えていなくてもよい。【００２０】
また、他の一態様として、二次コイルに流れる電流は、０．００２〜０．２Ａであってもよい。【００２１】
また、他の一態様として、電極部は、第１電極であり、電圧印加装置は、第１電極以外のいずれの電極とも電気的に接続されなくてもよい。【００２２】
また、他の一態様として、電極部は、主面を含む板状部を有し、板状部は、主面に形成された複数の開口部を含んでもよい。【００２３】
また、他の一態様として、当該治療装置は、ベッドを備えていてもよい。【００２４】
本発明の一態様としての治療装置は、被治療者の周囲に交流電場を形成して被治療者を治療する治療装置である。当該治療装置は、被治療者から離隔して設けられる電極部と、電極部に第１交流電圧を印加する電圧印加装置と、を備えている。電圧印加装置は、互いに磁気的に結合された一次コイルと二次コイルとを含むトランスと、二次コイルにおける電圧を調整するために二次コイルの一方の端子を一次コイルの一方の端子に戻すフィードバック制御回路と、二次コイルの出力に低周波振動を加えるために二次コイルの他方の端子に接続された出力制御部と、を有する。そして、電極部は、出力制御部を介して二次コイルの他方の端子に接続される。【００２５】
また、他の一態様として、一次コイルには、交流電源により第２交流電圧が印加されてもよい。そして、電圧印加装置は、更に、交流電源から入力される第３交流電圧の電圧値を、互いに異なる複数の種類の電圧値に切り替え、電圧値が切り替えられた第３交流電圧を第２交流電圧として一次コイルに印加することにより、第１交流電圧の電圧値を調整する電圧調整部を有してもよい。【００２６】
また、他の一態様として、電圧調整部は、一次コイルの一方の端子又は一次コイルの他方の端子である第１端子と、交流電源と、の間に設けられた抵抗素子と、第１端子を抵抗素子を介して交流電源に接続するか、又は、第１端子を抵抗素子を介さずに交流電源に接続するかを切り替えるスイッチ素子と、を含んでもよい。【００２７】
また、他の一態様として、当該治療装置は、電極部から被治療者の周囲に静電気を放出することにより、被治療者の周囲に交流電場を形成し、形成された交流電場を被治療者に印加しながら被治療者を治療してもよい。【００２８】
また、他の一態様として、電圧印加装置は、電極部に２０〜１００Ｈｚの周波数の第１交流電圧を印加してもよい。【００２９】
また、他の一態様として、当該治療装置は、接地電極を備えていなくてもよい。【００３０】
また、他の一態様として、二次コイルに流れる電流は、０．００２〜０．２Ａであってもよい。【００３１】
また、他の一態様として、電極部は、第１電極であり、電圧印加装置は、第１電極以外のいずれの電極とも電気的に接続されなくてもよい。【００３２】
本発明の一態様としての治療装置は、座部と背もたれ部とを有する椅子に座っている被治療者の周囲に交流電場を形成して被治療者を治療する治療装置である。当該治療装置は、座部の上面から離隔した座部の内部、座部よりも下方、背もたれ部の背もたれ面から離隔した背もたれ部の内部、又は、背もたれ部の背もたれ面と反対面よりも背もたれ面側と反対側、に設けられる電極部と、電極部に第１交流電圧を印加する電圧印加装置と、を備えている。【００３３】
また、他の一態様として、電圧印加装置は、互いに磁気的に結合された一次コイルと二次コイルとを含むトランスと、二次コイルにおける電圧を調整するために二次コイルの一方の端子を一次コイルの一方の端子に戻すフィードバック制御回路と、二次コイルの出力に低周波振動を加えるために二次コイルの他方の端子に接続された出力制御部と、を有してもよい。そして、電極部は、出力制御部を介して二次コイルの他方の端子に接続されてもよい。【００３４】
また、他の一態様として、一次コイルには、交流電源により第２交流電圧が印加されてもよい。そして、電圧印加装置は、更に、交流電源から入力される第３交流電圧の電圧値を、互いに異なる複数の種類の電圧値に切り替え、電圧値が切り替えられた第３交流電圧を第２交流電圧として一次コイルに印加することにより、第１交流電圧の電圧値を調整する電圧調整部を有してもよい。【００３５】
また、他の一態様として、電圧調整部は、一次コイルの一方の端子又は一次コイルの他方の端子である第１端子と、交流電源と、の間に設けられた抵抗素子と、第１端子を抵抗素子を介して交流電源に接続するか、又は、第１端子を抵抗素子を介さずに交流電源に接続するかを切り替えるスイッチ素子と、を含んでもよい。【００３６】
また、他の一態様として、当該治療装置は、電極部から被治療者の周囲に静電気を放出することにより、被治療者の周囲に交流電場を形成し、形成された交流電場を被治療者に印加しながら被治療者を治療してもよい。【００３７】
また、他の一態様として、電圧印加装置は、電極部に２０〜１００Ｈｚの周波数の第１交流電圧を印加してもよい。【００３８】
また、他の一態様として、当該治療装置は、接地電極を備えていなくてもよい。【００３９】
また、他の一態様として、二次コイルに流れる電流は、０．００２〜０．２Ａであってもよい。【００４０】
また、他の一態様として、電極部は、第１電極であり、電圧印加装置は、第１電極以外のいずれの電極とも電気的に接続されなくてもよい。【００４１】
また、他の一態様として、電極部は、主面を含む板状部を有し、板状部は、主面に形成された複数の開口部を含んでもよい。【００４２】
また、他の一態様として、当該治療装置は、椅子を備えていてもよい。
【発明の効果】
【００４３】
本発明の一態様を適用することで、被治療者の周囲に交流電場を形成して被治療者を治療する治療装置において、被治療者を治療する際の治療効果を向上させることができる。
【図面の簡単な説明】
【００４４】
【図１】実施の形態の治療装置の一例を模式的に示す側面図である。
【図２】実施の形態の治療装置に備えられた電極部の一例を示す平面図である。
【図３】実施の形態の治療装置に備えられた電圧印加装置の一例を示す回路図である。
【図４】実施の形態の治療装置に備えられた電圧印加装置の変形例を示す回路図である。
【図５】実施の形態の第１変形例の治療装置を模式的に示す側面図である。
【図６】実施の形態の第２変形例の治療装置に備えられた電極部を示す平面図である。
【図７】実施の形態の第３変形例の治療装置を模式的に示す側面図である。
【図８】実施の形態の第４変形例の治療装置を模式的に示す側面図である。
【発明を実施するための形態】
【００４５】
以下に、本発明の各実施の形態について、図面を参照しつつ説明する。
【００４６】
なお、開示はあくまで一例にすぎず、当業者において、発明の主旨を保っての適宜変更について容易に想到し得るものについては、当然に本発明の範囲に含有されるものである。また、図面は説明をより明確にするため、実施の態様に比べ、各部の幅、厚さ、形状等について模式的に表される場合があるが、あくまで一例であって、本発明の解釈を限定するものではない。
【００４７】
また本明細書と各図において、既出の図に関して前述したものと同様の要素には、同一の符号を付して、詳細な説明を適宜省略することがある。
【００４８】
更に、実施の形態で用いる図面においては、構造物を区別するために付したハッチング（網掛け）を図面に応じて省略する場合もある。
【００４９】
なお、以下の実施の形態においてＡ〜Ｂとして範囲を示す場合には、特に明示した場合を除き、Ａ以上Ｂ以下を示すものとする。
【００５０】
（実施の形態）
＜治療装置＞
初めに、本実施の形態の治療装置を例示して説明する。本実施の形態の治療装置は、被治療者の周囲に交流電場を形成して被治療者を治療する治療装置である。また、以下では、マットレス部を有するベッドのマットレス部上に横たわっている被治療者の周囲に交流電場を形成して被治療者を治療する治療装置、即ち臥床式の治療装置を例示して説明する。
【００５１】
なお、本実施の形態の治療装置は、臥床式治療装置のみならず、後述する実施の形態の第３変形例等の椅子式の治療装置も含めた、各種の方式の治療装置に適用可能である。即ち、本実施の形態の治療装置は、被治療者の周囲に交流電場を形成して被治療者を治療する治療装置に適用可能である。
【００５２】
図１は、実施の形態の治療装置の一例を模式的に示す側面図である。図２は、実施の形態の治療装置に備えられた電極部の一例を示す平面図である。図３は、実施の形態の治療装置に備えられた電圧印加装置の一例を示す回路図である。
【００５３】
図１乃至図３に示すように、治療装置は、ベッド１と、電極部２と、電圧印加装置３と、を備えている。電極部２は、被治療者４から離れて、即ち被治療者４から離隔して、設けられている。また、電圧印加装置３は、電極部２に交流電圧ＶＬ１を印加する。
【００５４】
なお、治療装置は、ベッド１を備えていてもよいが、ベッド１を備えていなくてもよい。このような場合、電極部２と、電圧印加装置３と、のみを備えた治療装置が、ベッドと組み合わされて被治療者４の治療に用いられることになる。
【００５５】
図１に示す例では、ベッド１は、マットレス部１１と、マットレス部１１を支持する支持部１２と、を有する。被治療者４がベッド１に横たわる際に、マットレス部１１の上面１１ａは、被治療者４の背中、臀部又は大腿部に接触する。また、支持部１２は、例えばマットレス部１１が搭載されるフレーム等よりなる基台部１３と、基台部１３よりも下方に設けられ、基台部１３を支持する脚部１４と、を含んでもよい。
【００５６】
図１に示す例では、電極部２は、マットレス部１１よりも下方に設けられる。また、本実施の形態の治療装置は、電極部２から被治療者４の周囲に静電気を放出することにより、被治療者４の周囲に交流電場を形成し、形成された交流電場を被治療者４に印加しながら被治療者４を治療する。
【００５７】
上記特許文献１及び特許文献２に記載された技術では、臥床式の治療装置において、治療装置を動作させるためには、少なくとも１個の電極を、被治療者に接触させて配置するか、又は、被治療者に殆ど接触しそうな距離まで近づけて配置する必要がある。そのため、治療中に被治療者が例えば寝返りを打つなどして体を動かすのに伴って被治療者の位置が変化した場合には、電極と被治療者との間の距離が変動することにより、治療効果が変動するおそれがある。
【００５８】
また、電極を被治療者に接触させて配置する場合には、給電線と接続された電極を貼付剤等により被治療者に貼り付けなくてはならず、被治療者が快適に治療を受けることができない。或いは、電極を被治療者に殆ど接触しそうな距離まで近づけて配置する場合には、治療中に被治療者が体を動かさないようにしなければならず、被治療者が快適に治療を受けることができない。
【００５９】
即ち、上記特許文献１及び特許文献２に記載された技術では、臥床式の治療装置において、被治療者を治療する際の治療効果を十分に得ることが困難であり、当該治療効果をある程度得るためであっても、少なくとも１個の電極については、被治療者に接触させて配置するか、又は、被治療者に殆ど接触しそうな距離まで近づけて配置する必要がある。
【００６０】
一方、本実施の形態の治療装置では、前述したように、電極部２から被治療者４の周囲に静電気を放出することにより、被治療者４の周囲に交流電場を形成し、形成された交流電場を被治療者４に印加しながら被治療者４を治療する。
【００６１】
これにより、被治療者４の体の中の細胞等に含まれる水分子に特定の波長の電磁波を照射することができるので、被治療者４の体の中の細胞等に含まれる水分子を活性化させることができる。或いは、被治療者４の体の中の細胞等が酸化して減少する電子を補うことにより、被治療者４の体の中の細胞等の酸化を防止することができる。或いは、被治療者４の体の中のウィルス等の活動を抑制することができる。血行促進、肩こり、頭痛、不眠症、疲労、神経痛、頭痛、婦人病、うつ病、糖尿病にも最良の効果を得られる。また、血流を良くし、美容にも効果がある。
【００６２】
従って、本実施の形態の治療装置によれば、被治療者４の体が老化することを抑制することができる。或いは、本実施の形態の治療装置によれば、被治療者４の体の中で病気が発生することを抑制することができる。そして、本実施の形態の治療装置によれば、被治療者４を治療する際の治療効果を向上させることができる。
【００６３】
また、本実施の形態の治療装置によれば、電極部２から被治療者４の周囲に静電気を放出することにより、被治療者４の周囲に交流電場を形成する。このような場合、電極部２を、被治療者４に接触させて配置する必要もなく、電極部２を、被治療者４に殆ど接触しそうな距離まで近づけて配置する必要もない。即ち、本実施の形態の治療装置は、被治療者４の周囲に交流電場を形成して被治療者４を治療する治療装置であり、治療装置に備えられた電極部２を被治療者４から離隔して設けることができる。
【００６４】
従って、本実施の形態の治療装置では、電極部２を、マットレス部１１よりも下方に設けることができる。よって、治療中に被治療者４が例えば寝返りを打つなどして体を動かすのに伴って被治療者４の位置が変化した場合でも、電極部２と被治療者４との間の距離が変動することを防止又は抑制することができ、治療効果が変動することを防止又は抑制することができる。
【００６５】
また、本実施の形態の治療装置によれば、臥床式の治療装置において、電極部２を被治療者４に接触させて配置する必要がなく、給電線と接続された電極を貼付剤等により被治療者４に貼り付ける必要がないので、被治療者４が快適に治療を受けることができる。或いは、本実施の形態の治療装置によれば、電極部２を被治療者４に殆ど接触しそうな距離まで近づけて配置する必要がないので、治療中に被治療者４が体を動かしてもよく、被治療者４が快適に治療を受けることができる。また、低電圧で治療することができるので、感電の危険性が殆どない。
【００６６】
なお、電極部２を、被治療者４から離隔して設けることができればよいので、電極部２を、マットレス部１１よりも下方に設けなくてもよく、電極部２を、例えば被治療者４の上方又は側方に、ベッド１から離隔して設けてもよい。或いは、本実施の形態の治療装置を、臥床式の治療装置以外の方式の治療装置に適用した場合も、単に、電極部２を、被治療者４から離隔して設けてもよい。
【００６７】
図２に示す例では、電極部２は、板状の導電性材料よりなる。また、電極部２は、平板状でも湾曲していてもよい。
【００６８】
好適には、電極部２は、主面２１を含む板状部２２を有する。これにより、例えば電極部２がマットレス部１１と支持部１２との間に挟まれた状態で、電極部２を容易に設置することができる。
【００６９】
更に好適には、板状部２２は、主面２１に形成された、複数の凹部、即ち複数の開口部２３を含む。板状部２２の主面２１に垂直な方向から視たときの開口部２３の形状を、円形又は六角形などの形状とすることができる。板状部２２が、このような円形や六角形などの形状を有する開口部２３を含むことにより、例えば開口部２３の周縁に電場が集中するので、電極部２から被治療者４の周囲に静電気を放出しやすくなる。
【００７０】
図３に示す例では、電圧印加装置３は、トランス３１と、フィードバック制御回路３２と、出力制御部３３と、出力端子３４と、を有する。トランス３１は、互いに磁気的に結合された一次コイル３５と二次コイル３６とを含む。
【００７１】
一次コイル３５には、交流電源により交流電圧ＶＬ２が印加される。図３に示す例では、交流電源として、ＡＣ入力コンセント３７に接続された商用電源（図示は省略）が用いられる。
【００７２】
なお、ＡＣ入力コンセント３７と一次コイル３５との間には、ブレーカー３８が設けられていてもよく、ブレーカー３８と一次コイル３５との間には、スイッチ素子３９が設けられていてもよい。また、交流電源として、例えば電圧印加装置３の内部又は外部に設けられた二次電池その他の各種の直流電源を例えばインバータ回路により変換して得られる交流電源その他の各種の交流電源を用いることができる。
【００７３】
二次コイル３６の一方の端子３６ａは、フィードバック制御回路３２を介して、一次コイル３５の一方の端子３５ａに接続されている。また、フィードバック制御回路３２は、二次コイル３６における電圧を調整する。言い換えれば、フィードバック制御回路３２は、二次コイル３６における電圧を調整するために、二次コイル３６の一方の端子３６ａを、一次コイル３５の一方の端子３５ａに戻す。
【００７４】
出力制御部３３は、二次コイル３６の他方の端子３６ｂと、出力端子３４と、の間に設けられている。また、出力制御部３３は、二次コイル３６の出力電圧に低周波振動を加える。言い換えれば、出力制御部３３は、二次コイル３６の出力電圧に低周波振動を加えるために、二次コイル３６の他方の端子３６ｂに接続されている。
【００７５】
電極部２は、導線よりなる給電線２４（図１参照）を介して、出力端子３４、即ち、出力制御部３３の二次コイル３６の他方の端子３６ｂ側と反対側の端子に接続される。そのため、電極部２は、給電線２４及び出力制御部３３を介して二次コイル３６の他方の端子３６ｂに接続されることになる。
【００７６】
上記した電圧印加装置３によれば、フィードバック制御回路３２により二次コイル３６側に発生した電流が一次コイル３５にフィードバックされるので、少ない巻数で二次コイル３６側に高い電圧を得ることができる。また、フィードバック制御回路３２及び出力制御部３３は回路に遅延を生じさせるように構成されており、その結果、二次コイル３６の出力に、例えば２０〜１００Ｈｚの低周波振動が加えられる。
【００７７】
また、フィードバック制御回路３２により、二次コイル３６の一方の端子３６ａを一次コイル３５の一方の端子３５ａに接続して二次コイル３６における電圧を調整するため、結果として、電圧印加装置３を小型化することができる。
【００７８】
上記特許文献１に記載された技術では、被治療者の周囲に電場を形成するために、２個の電極を用いる必要がある。そのため、治療装置の構成を簡素化することができない。
【００７９】
一方、本実施の形態の治療装置では、フィードバック制御回路３２及び出力制御部３３の作用で、二次コイル３６の出力に高い電圧が発生し、かつ、二次コイル３６の出力に低周波振動が加えられる。そのため、出力が端子３６ｂの一線しかなくても、電極部２から電位の低い部位（例えば、接地部位）に向けて良好に静電気が放出され、電極部２の周囲（具体的には電極部２を中心に半径約１．５ｍの範囲）に高電圧の電場が形成される。これにより、被治療者の周囲に電場を形成するために、２個の電極を用いる必要がない。そのため、治療装置の構成を簡素化することができる。
【００８０】
即ち、本実施の形態の治療装置では、電極部２を第１電極と称する場合、電圧印加装置３は、第１電極以外のいずれの電極とも電気的に接続されなくてもよく、第１電極以外のいずれの電極にも電圧を印加しなくてもよい。これにより、被治療者を治療する際の治療効果を向上させつつ、治療装置の構成を簡素化することができる。
【００８１】
また、本実施の形態の治療装置では、電極部２がアンテナとして動作するので、被治療者４の周囲の空間のうち、電極部２から離隔した部分でも、印加される交流電場の振幅、即ち電圧がそれほど小さくはならない。そのため、電極部２として、１個の電極しか設けられておらず、且つ、被治療者４が電極部２に接触していなくても、被治療者４の体の中の細胞等に対して、クラスター効果、マイナス電子チャージ及びプラス電子チャージを５０対５０の割合でチャージすることにより細胞等の酸化を抑制する効果、並びに、被治療者４の体の中でウィルス等が繁殖することを抑制する効果、を得ることができる。
【００８２】
但し、被治療者４の周囲の空間に形成される交流電場の強度は、電極部２に近づくほど大きく、電極部２から離隔するほど小さい。そのため、治療する症状によって、電場の強度が小さくて済むものと、電場の強度が大きいことが必要なものがあるので、治療する症状に応じて適切な位置に電極部２を配置することにより、最良の効果が得られる。
【００８３】
また、被治療者を治療する際に、従来の交流電場を用いた技術では、１台の治療装置では同時に１人の被治療者しか治療することができないが、本実施の形態の治療装置では、治療装置の出力部としての電極部２を大きくするか、又は、電極部２を追加することで、１台の治療装置で同時に２人〜３人など複数の被治療者４を治療することも可能である。また、壁に電極部２を設置することで、部屋全体に治療空間を形成することも可能である。
【００８４】
好適には、一次コイル３５には、交流電源により交流電圧ＶＬ２が印加される。具体的には、電圧印加装置３は、交流電源から入力される交流電圧を交流電圧ＶＬ２として一次コイル３５に印加する。
【００８５】
或いは、電圧印加装置３の電源として、電池を用いることも可能である。このような場合でも、電圧印加装置３の消費電力は低いため、例えば単一電池を１６本並列接続にした状態で、３日間動作させることができる。従って、治療装置を、例えば自動車に設けられた治療装置、即ち、移動可能な治療装置にも適用することができる。
【００８６】
好適には、出力制御部３３は、二次コイル３６の出力に２０〜１００Ｈｚの周波数の電圧を印加する。言い換えれば、電圧印加装置３は、電極部２に２０〜１００Ｈｚの周波数の交流電圧を印加する。出力制御部３３が二次コイル３６の出力に印加する電圧が２０〜１００Ｈｚの場合、出力制御部３３が二次コイル３６の出力に印加する電圧が２０Ｈｚ未満又は１００Ｈｚを超える場合に比べて、被治療者４の体の中の細胞等に含まれる水分子を効率良く活性化することができるか、被治療者４の体の中の細胞等の酸化を効率良く防止することができるか、又は、被治療者４の体の中のウィルス等の活動を効率良く抑制することができる。
【００８７】
好適には、治療装置は、接地電極を備えていない。これにより、二次コイル３６の他方の端子３６ｂに設けられた（接続された）電極部２から静電気を放出しやすくなる。
【００８８】
好適には、二次コイル３６に流れる電流は、０．００２〜０．２Ａである。二次コイル３６に流れる電流が０．００２Ａ以上の場合、二次コイル３６に流れる電流が０．００２Ａ未満の場合に比べて、被治療者４の体の中の細胞等に含まれる水分子を効率良く活性化することができるか、被治療者４の体の中の細胞等の酸化を効率良く防止することができるか、又は、被治療者４の体の中のウィルス等の活動を効率良く抑制することができる。また、二次コイル３６に流れる電流が０．２Ａ以下の場合、二次コイル３６に流れる電流が０．２Ａを超える場合に比べて、二次コイル３６に流れる電流が微弱電流になるので、感電の心配がない。
【００８９】
＜電圧印加装置の変形例＞
本実施の形態の治療装置においては、電圧印加装置が電極部に印加する交流電圧の電圧値が調整可能であることが好ましい。このような電圧印加装置の例を、実施の形態の治療装置に備えられた電圧印加装置の変形例として説明する。
【００９０】
図４は、実施の形態の治療装置に備えられた電圧印加装置の変形例を示す回路図である。
【００９１】
図４に示すように、一次コイル３５には、実施の形態の治療装置に備えられた電圧印加装置３と同様に、交流電源により交流電圧ＶＬ２が印加される。図４に示す例でも、実施の形態（図３参照）と同様に、交流電源として、ＡＣ入力コンセント３７に接続された商用電源（図示は省略）が用いられる。
【００９２】
一方、本変形例では、実施の形態と異なり、電圧印加装置３は、更に、電圧調整部４１を有する。電圧調整部４１は、交流電源から入力される交流電圧ＶＬ３の電圧値を、互いに異なる複数の種類の電圧値に切り替え、電圧値が切り替えられた交流電圧ＶＬ３を交流電圧ＶＬ２として一次コイル３５に印加することにより、出力端子３４に出力される交流電圧ＶＬ１の電圧値を調整する。
【００９３】
これにより、交流電圧ＶＬ１の電圧値を例えば強弱２種類の電圧値、又は、例えば強中弱の３種類の電圧値に切り替えることができる。従って、治療する症状に応じて最適な条件を設定することができる。
【００９４】
好適には、電圧調整部４１は、抵抗素子４２と、スイッチ素子４３と、を含む。抵抗素子４２は、一次コイル３５の一方の端子３５ａ又は他方の端子３５ｂである端子３５ｃと、交流電源即ちＡＣ入力コンセント３７と、の間に設けられている。図４に示す例では、一次コイル３５の他方の端子３５ｂが端子３５ｃであるが、一次コイル３５の一方の端子３５ａが端子３５ｃであってもよい。
【００９５】
スイッチ素子４３は、端子３５ｃを抵抗素子４２を介して交流電源即ちＡＣ入力コンセント３７に接続するか、又は、端子３５ｃを抵抗素子４２を介さずに交流電源即ちＡＣ入力コンセント３７に直接接続するかを切り替える。これにより、一次コイル３５に印加される交流電圧ＶＬ２の電圧値を、交流電源から入力される交流電圧ＶＬ３の電圧値と、交流電圧ＶＬ３の電圧値よりも小さい電圧値との間で切り替えることができ、出力端子３４に出力される交流電圧ＶＬ１の電圧値を、互いに異なる強弱２種類の電圧値に容易に切り替えることができる。
【００９６】
また、抵抗素子４２として、例えば５０Ω程度を中心値とする範囲で変更可能な抵抗値を有する可変抵抗を用いることができる。これにより、一次コイル３５に印加される交流電圧ＶＬ２の電圧値を、交流電圧ＶＬ３の電圧値よりも小さい電圧値に切り替える際のその電圧値を、更に変更することができ、出力端子３４に出力される交流電圧ＶＬ１の電圧値を、互いに異なる大小２種類の電圧値に容易に切り替える際のその小さい方の電圧値を、更に変更することができる。
【００９７】
なお、図４に示すように、電圧調整部４１は、抵抗素子４２と並列に接続されたサージアブソーバー４４を含んでもよい。このような場合、スイッチ素子４３は、端子３５ｃを互いに並列に接続された抵抗素子４２及びサージアブソーバー４４を介して交流電源即ちＡＣ入力コンセント３７に接続するか、又は、端子３５ｃを互いに並列に接続された抵抗素子４２及びサージアブソーバー４４を介さずに交流電源即ちＡＣ入力コンセント３７に直接接続するか、を切り替えることになる。これにより、例えば落雷等により抵抗素子４２に大電圧が急激に印加された場合に、サージアブソーバー４４の抵抗値が急減してサージアブソーバー４４の方に電流が集中して流れるために、抵抗素子４２に流れる電流を低減することができ、抵抗素子４２の焼損等を防止することができる。
【００９８】
＜治療装置の第１変形例＞
実施の形態の治療装置において、電極部２の位置は、マットレス部１１よりも下方に限られず、種々変更可能である。以下では、電極部２の位置が変更された治療装置の例を、治療装置の第１変形例として説明する。
【００９９】
図５は、実施の形態の第１変形例の治療装置を模式的に示す側面図である。なお、図５では、理解を簡単にするために、マットレス部１１の内部に設けられた電極部２を実線により示している。
【０１００】
図５に示す例では、電極部２は、マットレス部１１の上面１１ａから離隔したマットレス部１１の内部に設けられる。このような場合、実施の形態に比べて、電極部２を被治療者４により近づけることができるので、１個の電極部２を用いて被治療者４の体のうち一部分だけに強い交流電場を印加しながら治療し、且つ、被治療者４の体のうち他の部分にはあまり強い交流電場を印加しないようにすることができる。
【０１０１】
なお、図５において二点鎖線で示すように、電極部２は、例えばフレーム等よりなる基台部１３よりも下方に設けられてもよい。このような場合、実施の形態に比べて、電極部２を被治療者４からより離すことができるので、１個の電極部２を用いて被治療者４の体全体を均一に治療することができる。また。ベッド１の構造に応じて電極部２の配置される位置を容易に変更することができるので、ベッド１を設計する際の設計の自由度が高まる。
【０１０２】
＜治療装置の第２変形例＞
実施の形態の治療装置において、電極部２の形状は、板状の形状に限られず、種々変更可能である。以下では、電極部２の形状が変更された治療装置の例を、治療装置の第２変形例として説明する。
【０１０３】
図６は、実施の形態の第２変形例の治療装置に備えられた電極部を示す平面図である。なお、図６では、理解を簡単にするために、マットレス部１１の内部に配置された電極線２５を実線により示している。
【０１０４】
図６に示すように、本第２変形例の治療装置における電極部２は、例えば導電性材料よりなる線材である電極線２５を有してもよく、電極線２５は、例えばマットレス部１１の内部に配置されていてもよい。
【０１０５】
上記特許文献１に記載された技術では、被治療者が寝るマットに第１の電極が設けられ、上記特許文献２に記載された技術では、絶縁被覆の導電マットが用いられる。このようなマットは、マットレス部に比べて厚さが薄く、被治療者の体を支えることができないため、当該マット下に、マットレス部を配置しなければならず、治療装置全体の構成を簡素化することができない。
【０１０６】
一方、本第２変形例では、電極線２５は、マットレス部１１の内部に配置されている。これにより、マットレス部１１上に別体としてマットを配置する必要がないので、治療装置全体の構成を簡素化することができる。
【０１０７】
また、電極線２５は、例えば電気毛布の中に配置されたヒーター線のように、平面視において、交互に逆方向に折曲したジグザグ形状を有してもよい。電極線２５がこのような形状を有することにより、マットレス部１１の平面視における単位面積のうち電極線２５が占める面積の割合を、マットレス部１１の全体に亘って均一化することができる。
【０１０８】
＜治療装置の第３変形例＞
実施の形態の治療装置に備えられる電極部及び電圧印加装置は、臥床式の治療装置に限られず、例えば椅子式等種々の方式の治療装置に適用可能である。以下では、実施の形態の治療装置に備えられる電極部及び電圧印加装置を、椅子式の治療装置、即ち座部と背もたれ部とを有する椅子に座っている被治療者の周囲に交流電場を形成して被治療者を治療する治療装置に適用した例を、治療装置の第３変形例として説明する。
【０１０９】
図７は、実施の形態の第３変形例の治療装置を模式的に示す側面図である。
【０１１０】
図７に示すように、本第３変形例の治療装置は、実施の形態の治療装置に備えられ、図１及び図２等を用いて説明した電極部２と同様の電極部２を備えている。また、本第３変形例の治療装置は、実施の形態の治療装置に備えられ、図３及び図４等を用いて説明した電圧印加装置３と同様の電圧印加装置３を備えている。従って、本第３変形例の治療装置における電極部２と電圧印加装置３とのうち、電極部２と椅子との配置関係以外の部分については、その説明を省略する。
【０１１１】
一方、本第３変形例の治療装置は、実施の形態の治療装置と異なり、ベッドに代え、椅子５を備えている。
【０１１２】
なお、治療装置は、椅子５を備えていてもよいが、椅子５を備えていなくてもよい。このような場合、電極部２と、電圧印加装置３と、のみを備えた治療装置が、椅子と組み合わされて被治療者４の治療に用いられることになる。
【０１１３】
図７に示す例では、椅子５は、座部５１と、背もたれ部５２と、座部５１を支持する支持部５３と、を有する。被治療者４が椅子５に座る際に、座部５１の上面５１ａは、被治療者４の臀部又は大腿部に接触する。また、被治療者４が椅子５に座る際に、背もたれ部５２の背もたれ面５２ａは、被治療者４の背中に接触する。また、支持部５３は、座部５１の下方に設けられ、座部５１を支持する脚部５４を含んでもよい。
【０１１４】
図７に示す例では、電極部２は、座部５１よりも下方に設けられる。また、本第３変形例の治療装置も、実施の形態の治療装置と同様に、電極部２から被治療者４の周囲に静電気を放出することにより、被治療者４の周囲に交流電場を形成し、形成された交流電場を被治療者４に印加しながら被治療者４を治療する。
【０１１５】
上記特許文献３に記載された技術では、椅子式の治療装置において、治療装置を動作させるためには、少なくとも１個の電極を、被治療者に接触させて配置するか、又は、被治療者に殆ど接触しそうな距離まで近づけて配置する必要がある。そのため、治療中に被治療者が例えば体を動かすのに伴って被治療者の位置が変化した場合には、電極と被治療者との間の距離が変動することにより、治療効果が変動するおそれがある。
【０１１６】
また、電極を被治療者に接触させて配置する場合には、給電線と接続された電極を貼付剤等により被治療者に貼り付けなくてはならず、被治療者が快適に治療を受けることができない。或いは、電極を被治療者に殆ど接触しそうな距離まで近づけて配置する場合には、治療中に被治療者が体を動かさないようにしなければならず、被治療者が快適に治療を受けることができない。
【０１１７】
即ち、上記特許文献３に記載された技術では、椅子式の治療装置において、被治療者を治療する際の治療効果を十分に得ることが困難であり、当該治療効果をある程度得るためであっても、少なくとも１個の電極については、被治療者に接触させて配置するか、又は、被治療者に殆ど接触しそうな距離まで近づけて配置する必要がある。
【０１１８】
一方、本第３変形例の治療装置では、前述したように、電極部２から被治療者４の周囲に静電気を放出することにより、被治療者４の周囲に交流電場を形成し、形成された交流電場を被治療者４に印加しながら被治療者４を治療する。
【０１１９】
これにより、被治療者４の体の中の細胞等に含まれる水分子に特定の波長の電磁波を照射することができるので、被治療者４の体の中の細胞等を活性化させることができる。或いは、被治療者４の体の中の細胞等が酸化して減少する電子を補うことにより、被治療者４の体の中の細胞等の酸化を防止することができる。或いは、被治療者４の体の中のウィルス等の活動を抑制することができる。
【０１２０】
従って、本第３変形例の治療装置によれば、実施の形態の治療装置と同様に、被治療者４の体が老化することを抑制することができる。或いは、本第３変形例の治療装置によれば、実施の形態の治療装置と同様に、被治療者４の体の中で病気が発生することを抑制することができる。即ち、本第３変形例の治療装置によれば、実施の形態の治療装置と同様に、被治療者４を治療する際の治療効果を向上させることができる。
【０１２１】
また、本第３変形例の治療装置によれば、実施の形態の治療装置と同様に、電極部２から被治療者４の周囲に静電気を放出することにより、被治療者４の周囲に交流電場を形成する。このような場合、電極部２を、被治療者４に接触させて配置する必要もなく、電極部２を、被治療者４に殆ど接触しそうな距離まで近づけて配置する必要もない。即ち、本第３変形例の治療装置では、実施の形態の治療装置と同様に、電極部２を被治療者４から離隔して設けることができる。
【０１２２】
従って、本第３変形例の治療装置では、電極部２を、座部５１よりも下方に設けることができる。よって、治療中に被治療者４が例えば体を動かすのに伴って被治療者４の位置が変化した場合でも、電極部２と被治療者４との間の距離が変動することを防止又は抑制することができ、治療効果が変動することを防止又は抑制することができる。
【０１２３】
また、本第３変形例の治療装置によれば、椅子式の治療装置において、電極部２を被治療者４に接触させて配置する必要がなく、給電線と接続された電極を貼付剤等により被治療者４に貼り付ける必要がないので、被治療者４が快適に治療を受けることができる。或いは、本第３変形例の治療装置によれば、電極部２を被治療者４に殆ど接触しそうな距離まで近づけて配置する必要がないので、治療中に被治療者４が体を動かしてもよく、被治療者４が快適に治療を受けることができる。
【０１２４】
なお、図７に二点鎖線で示すように、電極部２は、座部５１の上面５１ａから離隔した座部５１の内部に設けられてもよい。このような場合、本第３変形例の治療装置に比べて、電極部２を被治療者４により近づけることができるので、１個の電極部２を用いて被治療者４の体のうち一部分だけに強い交流電場を印加しながら治療し、且つ、被治療者４の体のうち他の部分にはあまり強い交流電場を印加しないようにすることができる。
【０１２５】
＜治療装置の第４変形例＞
椅子式の治療装置に備えられる電極部は、座部よりも下方又は座部の内部に代え、背もたれ部よりも後方又は背もたれ部の内部に設けられてもよい。以下では、電極部が背もたれ部よりも後方に設けられた椅子式の治療装置の例を、治療装置の第４変形例として説明する。
【０１２６】
図８は、実施の形態の第４変形例の治療装置を模式的に示す側面図である。
【０１２７】
図８に示す例では、電極部２は、背もたれ部５２の背もたれ面５２ａと反対面５２ｂよりも背もたれ面５２ａ側と反対側、即ち背もたれ部５２よりも後方に設けられる。なお、本第４変形例の治療装置のうち、電極部の配置以外の部分については、実施の形態の第３変形例の治療装置と同様にすることができ、その説明を省略する。
【０１２８】
本第４変形例の治療装置においても、実施の形態の第３変形例の治療装置と同様に、電極部２から被治療者４の周囲に静電気を放出することにより、被治療者４の周囲に交流電場を形成する。このような場合、電極部２を被治療者４に接触させて配置する必要もなく、電極部２を、被治療者４に殆ど接触しそうな距離まで近づけて配置する必要もない。即ち、本第４変形例の治療装置においても、実施の形態の第３変形例の治療装置と同様に、電極部２を被治療者４から離隔して設けることができる。
【０１２９】
従って、本第４変形例の治療装置では、電極部２を、背もたれ部５２の背もたれ面５２ａと反対面５２ｂよりも背もたれ面５２ａ側と反対側に設けることができる。よって、治療中に被治療者４が例えば体を動かすのに伴って被治療者４の位置が変化した場合でも、電極部２と被治療者４との間の距離が変動することを防止又は抑制することができ、治療効果が変動することを防止又は抑制することができる。
【０１３０】
また、本第４変形例の治療装置によれば、実施の形態の第３変形例の治療装置と同様に、椅子式の治療装置において、電極部２を被治療者４に接触させて配置する必要がなく、給電線と接続された電極を貼付剤等により被治療者４に貼り付ける必要がない。或いは、本第４変形例の治療装置によれば、実施の形態の第３変形例の治療装置と同様に、電極部２を被治療者４に殆ど接触しそうな距離まで近づけて配置する必要がないので、治療中に被治療者４が体を動かしてもよく、被治療者４が快適に治療を受けることができる。
【０１３１】
なお、図８に二点鎖線で示すように、電極部２は、背もたれ部５２の背もたれ面５２ａから離隔した背もたれ部５２の内部に設けられてもよい。このような場合、本第４変形例の治療装置に比べて、電極部２を被治療者４により近づけることができるので、１個の電極部２を用いて被治療者４の体のうち一部分だけに強い交流電場を印加しながら治療し、且つ、被治療者４の体のうち他の部分にはあまり強い交流電場を印加しないようにすることができる。
【０１３２】
また、図８に二点鎖線で示すように、電極部２を、被治療者４から離隔して設けることができればよいので、電極部２を、椅子５に座っている被治療者４よりも背もたれ部５２側と反対側に、即ち被治療者４よりも前方に、被治療者４から離隔して設けてもよい。或いは、図示は省略するが、電極部２を、椅子５に座っている被治療者４よりも座部５１側と反対側に、即ち被治療者４よりも上方に、被治療者４から離隔して設けてもよい。
【実施例】
【０１３３】
以下、実施例に基づいて本実施の形態を更に詳細に説明する。なお、本発明は以下の実施例によって限定されるものではない。【０１３４】
初めに、実施例の治療装置として、実施の形態の治療装置を用意した。【０１３５】
次に、５０代の男性を被治療者とし、治療期間を２ヶ月とし、１日当たりの治療時間を１時間とし、５００Ｖの電場空間で、即ち電極部２に５００Ｖの交流電圧ＶＬ１を印加して、実施例の治療装置による治療を行った。その結果、被治療者のγ−ＧＴＰ即ち肝機能を示す数値が８３から２９まで著しく減少し、その他中性脂肪が１６０から６５まで著しく減少するなどして、全て正常な数値になった。【０１３６】
また、４０代の男性であって薄毛の症状を有する男性を被治療者とし、治療期間を２ヶ月とし、１日当たりの治療時間を１時間とし、２００Ｖの電場空間で、即ち電極部２に２００Ｖの交流電圧ＶＬ１を印加して、実施例の治療装置による治療を行った。その結果、被治療者の薄毛の症状が改善し、後頭部に髪が生えてきた。【０１３７】
また、３０代の男性であって足の裏の臭いと体臭の症状を有する男性を被治療者とし、治療期間を１ヶ月とし、１日当たりの治療時間を１時間とし、１００Ｖの電場空間で、即ち電極部２に１００Ｖの交流電圧ＶＬ１を印加して、実施例の治療装置による治療を行った。その結果、被治療者の足の裏と体臭の臭いが軽減した。【０１３８】
また、４０代の女性であって膣内の臭いの症状を有する女性を被治療者とし、治療期間を２ヶ月とし、１日当たりの治療時間を２時間とし、５００Ｖの電場空間で、即ち電極部２に５００Ｖの交流電圧ＶＬ１を印加して、実施例の治療装置による治療を行った。その結果、被治療者の膣内の臭いが無くなり、かゆみも軽減した。膣内及び外陰部は、雑菌が繁殖しやすい部分であり、膣内から分泌されるオリモノ及び経血、並びに、垢及び尿などの老廃物の排出もあって雑菌が発生しやすい部分である。しかし、実施例の治療装置を使用して治療を行うことにより、雑菌の発生の抑制、及び、雑菌の繁殖の抑制に、効果が現れた。【０１３９】
以上、本発明者によってなされた発明をその実施の形態に基づき具体的に説明したが、本発明は前記実施の形態に限定されるものではなく、その要旨を逸脱しない範囲で種々変更可能であることは言うまでもない。【０１４０】
本発明の思想の範疇において、当業者であれば、各種の変更例及び修正例に想到し得るものであり、それら変更例及び修正例についても本発明の範囲に属するものと了解される。【０１４１】
例えば、前述の各実施の形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【符号の説明】
【０１４２】
１  ベッド
２  電極部
３  電圧印加装置
４  被治療者
５  椅子
１１  マットレス部
１１ａ  上面
１２  支持部
１３  基台部
１４  脚部
２１  主面
２２  板状部
２３  開口部
２４  給電線
２５  電極線
３１  トランス
３２  フィードバック制御回路
３３  出力制御部
３４  出力端子
３５  一次コイル
３５ａ〜３５ｃ、３６ａ、３６ｂ  端子
３６  二次コイル
３７  ＡＣ入力コンセント
３８  ブレーカー
３９、４３  スイッチ素子
４１  電圧調整部
４２  抵抗素子
４４  サージアブソーバー
５１  座部
５１ａ  上面
５２  背もたれ部
５２ａ  背もたれ面
５２ｂ  反対面
５３  支持部
５４  脚部
ＶＬ１〜ＶＬ３  交流電圧
【図１】
2019097590.tif 000003
【図２】
2019097590.tif 000004
【図３】
2019097590.tif 000005
【図４】
2019097590.tif 000006
【図５】
2019097590.tif 000007
【図６】
2019097590.tif 000008
【図７】
2019097590.tif 000009
【図８】
2019097590.tif 000010
【国際調査報告】
2019097590.tif 000011
2019097590.tif 000012
2019097590.tif 000013
2019097590.tif 000014
2019097590.tif 000015